(57)【要約】      （修正有）【課題】文字列画像における情報文字列の読み取り精度を向上させること。【解決手段】情報システム９００であって、第１情報を特定する文字列である情報文字列が表示されている文字列画像を取得する画像取得部２３１と、情報システム９００にて読み取られ得る対象の文字列である対象文字列を格納するマスタ情報ＤＢ２２１と、画像取得部２３１が取得した文字列画像と、マスタ情報ＤＢ２２１が格納している対象文字列とに基づいて、マスタ情報ＤＢ２２１が取得した文字列画像に表示されている情報文字列を読み取る読取部２３２と、を備える。【選択図】図１
2019070955.tif 000002
【特許請求の範囲】
【請求項１】
読取システムであって、
第１情報を特定する文字列である情報文字列が表示されている文字列画像を取得する画像取得手段と、
前記読取システムにて読み取られ得る対象の文字列である対象文字列を格納する対象文字列格納手段と、
前記画像取得手段が取得した前記文字列画像と、前記対象文字列格納手段が格納している前記対象文字列とに基づいて、前記画像取得手段が取得した前記文字列画像に表示されている前記情報文字列を読み取る読取手段と、
を備える読取システム。
【請求項２】
前記読取システムのユーザによって入力された第２情報を受け付ける受付手段と、
前記受付手段が受け付けた前記第２情報を格納する入力情報格納手段と、を備える、
請求項１に記載の読取システム。
【請求項３】
前記読取システムのユーザによる前記第２情報の入力を支援する支援手段、を備える、
請求項２に記載の読取システム。
【請求項４】
前記読取システムのユーザの認証を行う認証手段と、
前記認証手段にて認証されたユーザによる前記読取システムへのログインを許可し、前記認証手段にて認証されなかったユーザによる前記読取システムへのログインを禁止するアクセス制御手段と、を備える、
請求項１から３の何れか一項に記載の読取システム。
【請求項５】
前記第１情報は、前記読取システムのユーザに関連する情報であり、
前記画像取得手段は、前記読取システムのユーザによって利用されるユーザ端末であって当該ユーザ端末を識別する情報であるユーザ端末識別情報が格納されている当該ユーザ端末を介して入力された前記文字列画像を取得し、
前記認証手段は、前記画像取得手段が取得した前記文字列画像と、前記ユーザ端末に格納されている前記ユーザ端末識別情報とに基づいて前記読取システムのユーザの認証を行う、
請求項４に記載の読取システム。
【請求項６】
少なくとも前記読取手段が読み取った前記情報文字列を所定の形式にて出力する出力手段、を備える、
請求項１から５の何れか一項に記載の読取システム。
【請求項７】
前記第１情報は、相互に関連する複数種類の情報を含んでおり、
前記読取システムは、前記第１情報の相互に関連する複数種類の情報に対応する複数種類の文字列相互間の関連性を特定する文字列関連性特定情報を格納する文字列関連性特定情報格納手段、を備えており、
前記読取手段は、前記文字列関連性特定情報格納手段が格納している文字列関連性特定情報にも基づいて前記画像取得手段が取得した前記文字列画像に表示されている前記情報文字列を読み取る、
請求項１から６の何れか一項に記載の読取システム。
【請求項８】
前記画像取得手段は、前記読取システムのユーザにて入力された前記文字列画像を取得し、
前記読取システムは、前記読取システムのユーザによる前記文字列画像の過去の入力に基づいて、前記読取システムのユーザに対して前記文字列画像の入力を促す促進手段、を備える、
請求項１から７の何れか一項に記載の読取システム。
【請求項９】
前記第１情報は、医療に関連する第１医療情報である、
請求項１から８の何れか一項に記載の読取システム。
【請求項１０】
読取システムの読取プログラムであって、
コンピュータを、
第１情報を特定する文字列である情報文字列が表示されている文字列画像を取得する画像取得手段と、
前記画像取得手段が取得した前記文字列画像と、前記読取システムにて読み取られ得る対象の文字列である対象文字列を格納する対象文字列格納手段が格納している前記対象文字列とに基づいて、前記画像取得手段が取得した前記文字列画像に表示されている前記情報文字列を読み取る読取手段と、
として機能させる読取プログラム。
【発明の詳細な説明】
【技術分野】
【０００１】
本発明は、読取システム及び読取プログラムに関する。
【背景技術】
【０００２】
従来、スキャナ等の入力部にて紙媒体の処方箋の情報を読み取って管理する端末装置が知られていた（特許文献１参照）。そして、この特許文献１の技術のようにスキャナ等にて紙媒体の情報を読み取る場合、一般的に、紙媒体の情報を画像として取得した上で、光学的文字認識（ＯＣＲ：Ｏｐｔｉｃａｌ  Ｃｈａｒａｃｔｅｒ  Ｒｅｃｏｇｎｉｔｉｏｎ／Ｒｅａｄｅｒ）の技術を用いて読み取っていた。
【先行技術文献】
【特許文献】
【０００３】
【特許文献１】特開２０１７−１４２６６５号公報
【発明の概要】
【発明が解決しようとする課題】
【０００４】
しかしながら、従来のＯＣＲの技術を用いて紙媒体の情報を読み取る場合、紙媒体の画像にてＯＣＲの技術を用いて情報を１文字ずつ読み取っていたので、例えば、紙媒体の画像の中の各文字の濃さの違い等によりＯＣＲにて正しく文字認識できずに、紙媒体の処方箋の情報の読取精度が低下する可能性があった。
【０００５】
本発明は上記問題に鑑みてなされたもので、文字列画像における情報文字列の読み取り精度を向上させることを目的とする。
【課題を解決するための手段】
【０００６】
上述した課題を解決し、目的を達成するために、請求項１に記載の読取システムは、読取システムであって、第１情報を特定する文字列である情報文字列が表示されている文字列画像を取得する画像取得手段と、前記読取システムにて読み取られ得る対象の文字列である対象文字列を格納する対象文字列格納手段と、前記画像取得手段が取得した前記文字列画像と、前記対象文字列格納手段が格納している前記対象文字列とに基づいて、前記画像取得手段が取得した前記文字列画像に表示されている前記情報文字列を読み取る読取手段と、を備える。
【０００７】
また、請求項２に記載の読取システムは、請求項１に記載の読取システムにおいて、前記読取システムのユーザによって入力された第２情報を受け付ける受付手段と、前記受付手段が受け付けた前記第２情報を格納する入力情報格納手段と、を備える。
【０００８】
また、請求項３に記載の読取システムは、請求項２に記載の読取システムにおいて、前記読取システムのユーザによる前記第２情報の入力を支援する支援手段、を備える。
【０００９】
また、請求項４に記載の読取システムは、請求項１から３の何れか一項に記載の読取システムにおいて、前記読取システムのユーザの認証を行う認証手段と、前記認証手段にて認証されたユーザによる前記読取システムへのログインを許可し、前記認証手段にて認証されなかったユーザによる前記読取システムへのログインを禁止するアクセス制御手段と、を備える。
【００１０】
また、請求項５に記載の読取システムは、請求項４に記載の読取システムにおいて、前記第１情報は、前記読取システムのユーザに関連する情報であり、前記画像取得手段は、前記読取システムのユーザによって利用されるユーザ端末であって当該ユーザ端末を識別する情報であるユーザ端末識別情報が格納されている当該ユーザ端末を介して入力された前記文字列画像を取得し、前記認証手段は、前記画像取得手段が取得した前記文字列画像と、前記ユーザ端末に格納されている前記ユーザ端末識別情報とに基づいて前記読取システムのユーザの認証を行う。
【００１１】
また、請求項６に記載の読取システムは、請求項１から５の何れか一項に記載の読取システムにおいて、少なくとも前記読取手段が読み取った前記情報文字列を所定の形式にて出力する出力手段、を備える。
【００１２】
また、請求項７に記載の読取システムは、請求項１から６の何れか一項に記載の読取システムにおいて、前記第１情報は、相互に関連する複数種類の情報を含んでおり、前記読取システムは、前記第１情報の相互に関連する複数種類の情報に対応する複数種類の文字列相互間の関連性を特定する文字列関連性特定情報を格納する文字列関連性特定情報格納手段、を備えており、前記読取手段は、前記文字列関連性特定情報格納手段が格納している文字列関連性特定情報にも基づいて前記画像取得手段が取得した前記文字列画像に表示されている前記情報文字列を読み取る。
【００１３】
また、請求項８に記載の読取システムは、請求項１から７の何れか一項に記載の読取システムにおいて、前記画像取得手段は、前記読取システムのユーザにて入力された前記文字列画像を取得し、前記読取システムは、前記読取システムのユーザによる前記文字列画像の過去の入力に基づいて、前記読取システムのユーザに対して前記文字列画像の入力を促す促進手段、を備える。
【００１４】
また、請求項９に記載の読取システムは、請求項１から８の何れか一項に記載の読取システムにおいて、前記第１情報は、医療に関連する第１医療情報である。
【００１５】
また、請求項１０に記載の読取プログラムは、読取システムの読取プログラムであって、コンピュータを、第１情報を特定する文字列である情報文字列が表示されている文字列画像を取得する画像取得手段と、前記画像取得手段が取得した前記文字列画像と、前記読取システムにて読み取られ得る対象の文字列である対象文字列を格納する対象文字列格納手段が格納している前記対象文字列とに基づいて、前記画像取得手段が取得した前記文字列画像に表示されている前記情報文字列を読み取る読取手段と、として機能させる。
【発明の効果】
【００１６】
請求項１に記載の読取システムによれば、画像取得手段が取得した文字列画像と、対象文字列格納手段が格納している対象文字列とに基づいて、画像取得手段が取得した文字列画像に表示されている情報文字列を読み取ることにより、例えば、対象文字列格納手段が格納している対象文字列を基準に情報文字列を読み取ることができるので、文字列画像における情報文字列の読み取り精度を向上させることが可能となる。また、例えば、ユーザによる手入力を行うことなく情報文字列を読み取ることができるので、読取システムを用いて、情報（例えば、医療情報）を効率的に収集することが可能となる。
【００１７】
請求項２に記載の読取システムによれば、受付手段が受け付けた第２情報を格納することにより、例えば、ユーザが所望する任意の情報（一例としては、病名の情報等）を第２情報として格納することができるので、読取システムの利用性を向上させることが可能となる。
【００１８】
請求項３に記載の読取システムによれば、ユーザによる第２情報の入力を支援することにより、例えば、ユーザに対して第２情報を容易に入力させることができるので、読取システムの利用性を一層向上させることが可能となる。
【００１９】
請求項４に記載の読取システムによれば、認証されたユーザによるログインを許可し、認証されなかったユーザによるログインを禁止することにより、例えば、適正なユーザに対してのみログインさせることができるので、読取システムのセキュリティを向上させることが可能となる。
【００２０】
請求項５に記載の読取システムによれば、文字列画像とユーザ端末識別情報とに基づいてユーザの認証を行うことにより、例えば、ユーザの認証のために一般的に用いられるログイン名及びパスワード等を用いること無く認証を行うことができるので、ユーザに対してログイン名又はパスワード等の入力を求めることなく認証を行うことができ、読取システムのセキュリティを向上させた上で、読取システムの利用性を一層向上させることが可能となる。
【００２１】
請求項６に記載の読取システムによれば、情報文字列を所定の形式にて出力することにより、例えば、ユーザが所望する形式にて情報を出力することができるので、読取システムの利用性を一層向上させることが可能となる。特に、例えば、情報文字列を確定申告時に提出するべき医療費集計フォームに対応する形式にて出力した場合、ユーザは、医療費集計フォームを手入力にて新たに作成することが不要となり、確定申告を容易に行うことが可能となる。この場合、ユーザに対して自己の情報の入力を促進することができるので、読取システムを用いて、医療情報を効率的に収集することが可能となる。
【００２２】
請求項７に記載の読取システムによれば、文字列関連性特定情報にも基づいて文字列画像に表示されている情報文字列を読み取ることにより、例えば、情報文字列の読取精度を向上させることが可能となる。
【００２３】
請求項８に記載の読取システムによれば、ユーザによる文字列画像の過去の入力に基づいて、ユーザに対して文字列画像の入力を促すことにより、例えば、文字列画像を定期的に確実に入力させることが可能となる。
【００２４】
請求項９に記載の読取システムによれば、第１情報が医療に関連する情報であることにより、例えば、医療に関連する医療情報文字列の読み取り精度を向上させることが可能となる。
【００２５】
請求項１０に記載の読取プログラムによれば、画像取得手段が取得した文字列画像と、対象文字列格納手段が格納している対象文字列とに基づいて、画像取得手段が取得した文字列画像に表示されている情報文字列を読み取ることにより、例えば、対象文字列格納手段が格納している対象文字列を基準に情報文字列を読み取ることができるので、文字列画像における情報文字列の読み取り精度を向上させることが可能となる。また、例えば、ユーザによる手入力を行うことなく情報文字列を読み取ることができるので、読取システムを用いて、情報（例えば、医療情報）を効率的に収集することが可能となる。
【図面の簡単な説明】
【００２６】
【図１】実施の形態に係る情報システムのブロック図である。
【図２】診療明細書を例示した図である。
【図３】調剤明細書を例示した図である。
【図４】マスタ情報を例示した図である。
【図５】病名情報を例示した図である。
【図６】ユーザ情報を例示した図である。
【図７】読取情報を例示した図である。
【図８】入力情報を例示した図である。
【図９】ログイン制御処理のフローチャートである。
【図１０】読取情報格納処理のフローチャートである。
【図１１】病名情報入力処理のフローチャートである。
【図１２】情報出力処理のフローチャートである。
【図１３】文字列関連性特定情報を例示した図である。
【発明を実施するための形態】
【００２７】
以下に、本発明に係る読取システム及び読取プログラムの実施の形態を図面に基づいて詳細に説明する。なお、この実施の形態によりこの発明が限定されるものではない。
【００２８】
〔実施の形態の基本的概念〕
まずは、実施の形態の基本的概念について説明する。実施の形態は、概略的に、読取システムに関するものである。
【００２９】
ここで、「読取システム」とは、情報を読み取るシステムであり、具体的には、情報文字列を読み取るシステムであり、例えば、情報を読み取るための専用システムとして構成されたシステム、又は、汎用のシステム（例えば、サーバ装置、パーソナルコンピュータ等）に情報を読み取るための機能を実装することにより構成されたシステム等を含む概念である。この「読取システム」は、例えば、画像取得手段、対象文字列格納手段、及び読取手段を備えているものである。
【００３０】
なお、「画像取得手段」とは、第１情報を特定する文字列である情報文字列が表示されている文字列画像を取得する手段であり、また、「対象文字列格納手段」とは、読取システムにて読み取られ得る対象の文字列である対象文字列を格納する手段であり、また、「読取手段」とは、画像取得手段が取得した文字列画像と、対象文字列格納手段が格納している対象文字列とに基づいて、画像取得手段が取得した文字列画像に表示されている情報文字列を読み取る手段である。
【００３１】
ここで、「第１情報」とは、任意の情報であり、具体的には、情報文字列にて特定される情報であり、例えば、読取システムに文字列画像として入力される情報であって、読取システムのユーザに関連する情報であり、後述の「第２情報」とは区別される情報であり、一例としては、第１医療情報、あるいは、第１医療情報以外の任意の情報等を含む概念である。なお、「第１医療情報以外の任意の情報」とは、医療に関連しない任意の情報であり、例えば、レシート、領収書、価格表、看板、又は書籍等に記載されている任意の情報を含む概念である。なお、「第１医療情報」とは、医療に関連する情報であり、具体的には、医療に関連する情報文字列である医療情報文字列にて特定される情報であり、例えば、読取システムに文字列画像として入力される情報であって、読取システムのユーザに関連する情報であり、後述の「第２医療情報」とは区別される情報であり、一例としては、紙面等の任意の媒体に記載されている情報であって、診療明細書、調剤明細書、処方箋、検査結果報告書、カルテ、薬袋、又は診察券等に記載されている任意の情報を含む概念である。「第１医療情報」とは、例えば、書類名、患者番号、氏名、受診日、診療を特定する任意の情報、点数、回数、調剤日、及び調剤に関する任意の情報、病気に関する任意の情報等を含む概念である。また、「第２情報」とは、任意の情報であり、具体的に、読取システムのユーザによって入力される情報であり、例えば、読取システムに文字列として入力される情報であり、一例としては、第２医療情報、あるいは、第２医療情報以外の任意の情報等を含む概念である。なお、「第２医療情報」とは、医療に関連する情報であり、具体的に、読取システムのユーザによって入力される情報であり、例えば、読取システムに文字列として入力される情報である。つまり、前述の「第１情報」及び「第２情報」については、読取システムへの入力のされ方が相互に異なるものであり、具体的に指し示す情報については相互に異なっていてもよく、あるいは、相互に同様であってもよい概念であり、従って、「第１医療情報」及び「第２医療情報」についても、読取システムへの入力のされ方が相互に異なるものであり、具体的に指し示す情報については相互に異なっていてもよく、あるいは、相互に同様であってもよい概念である。
【００３２】
また、「情報文字列」とは、第１情報を特定する文字列であり、例えば、第１医療情報を特定する文字列である医療情報文字列等を含む概念である。また、「文字列画像」とは、情報文字列が表示されている画像であり、つまり、情報文字列が写っている画像であり、例えば、医療情報文字列が表示されている画像、つまり、医療情報文字列が写っている画像等を含む概念である。なお、「文字列」とは、１つのみの文字、又は、２つ以上の文字であり、例えば、文字を羅列したものであり、一例として、平仮名、片仮名、漢字等の日本語の文字、外国語の文字、記号、又は数値等を羅列したもの、あるいは、これらを任意に組み合わせて羅列したもの等を含む概念である。また、「対象文字列」とは、読取システムにて読み取られ得る対象の文字列であり、具体的には、読み取られるべき文字列であり、例えば、予め登録されている文字列である。また、「文字列画像に表示されている情報文字列を読み取る」とは、例えば、文字列画像に表示されている情報文字列を読み取って（あるいは、画像認識して）、読み取った情報文字列をコンピュータにて利用可能なデータ（例えば、デジタルの文字コード等による任意のデータ）に変換することに対応する概念である。
【００３３】
そして、以下に示す実施の形態では、医療情報について適用する場合の一例を説明し、具体的には、「第１情報」が第１医療情報であり、「第２情報」が第２医療情報である場合について説明する。特に、「第１医療情報」が、診療明細書又は調剤明細書に記載されている情報であり、「読取システム」が、サーバ装置にて実現されている場合について説明する。
【００３４】
［実施の形態の具体的内容］
次に、実施の形態の具体的内容について説明する。
【００３５】
（構成）
まず、本実施の形態に係る情報システムの構成について説明する。図１は、本実施の形態に係る情報システムのブロック図であり、また、図２は、診療明細書を例示した図であり、また、図３は、調剤明細書を例示した図である。なお、図１の情報システム９００に含まれる端末装置の個数は任意であるが、ここでは、例えば、説明の便宜上、６個の端末装置１０１〜１０６を図示して説明する。また、例えば、端末装置１０１〜１０６は、概ね相互に同様に構成されていることとし、端末装置１０１についてのみ各部を具体的に図示して説明する。また、例えば、情報システム９００に含まれる各端末装置について、相互に区別する必要がない場合には、端末装置１と総称して説明する。診療明細書及び調剤明細書のフォーマット等については、実際には複数種類存在しているが、ここでは、例えば、図２の診療明細書及び図３の調剤明細書を読み取る場合を適宜例示して説明する。なお、この図２及び図３の例示している文字列は、説明の便宜上のものである。また、本願の読取の対象となる診療明細書及び調剤明細書を説明した後、情報システム９００について説明する。
【００３６】
まず、「診療明細書」とは、診療に関する情報を特定する書面であり、具体的には、第１医療情報を特定する文字列である医療情報文字列が記載されている書面であり、例えば、図２に示すように、種別記載部分Ｄ１１、患者記載部分Ｄ１２、内容記載部分Ｄ１３、施設記載部分Ｄ１４、及び金額記載部分Ｄ１５を備えている。種別記載部分Ｄ１１は、書面の種別が記載されている部分であり、患者記載部分Ｄ１２は、患者に関する情報（氏名と受診日）が記載されている部分であり、また、内容記載部分Ｄ１３は、診療に関する具体的な内容な記載されている部分であり、また、施設記載部分Ｄ１４は、当該書面を発行した施設が記載されている部分であり、また、金額記載部分Ｄ１５は、診療の費用が記載されている部分である。
【００３７】
また、「調剤明細書」とは、調剤に関する情報を特定する書面であり、具体的には、第１医療情報を特定する文字列である医療情報文字列が記載されている書面であり、例えば、図３に示すように、種別記載部分Ｄ２１、患者記載部分Ｄ２２、内容記載部分Ｄ２３、施設記載部分２４、及び金額記載部分Ｄ２５を備えている。種別記載部分Ｄ２１は、書面の種別が記載されている部分であり、患者記載部分Ｄ２２は、患者に関する情報（氏名と調剤日）が記載されている部分であり、また、内容記載部分Ｄ２３は、調剤に関する具体的な内容な記載されている部分であり、また、施設記載部分Ｄ２４は、当該書面を発行した施設が記載されている部分であり、また、金額記載部分Ｄ２５は、調剤の費用が記載されている部分である。
【００３８】
また、これらの診療明細書及び調剤明細書に記載される情報については、定型記載情報、及び非定型記載情報が含まれている。「定型記載情報」とは、予め定められた文字列の候補の中の少なくとも１つに対応する文字列によって示される情報であり、具体的には、予め定められている文字列によって示される情報である。「非定型記載情報」とは、文字列の候補が予め定められているわけではない文字列である。
【００３９】
そして、ここでは、例えば、「定型記載情報」が、図２の種別記載部分Ｄ１１の情報、内容記載部分Ｄ１３における「部」の欄の情報（「基本料」等）、「項目名」の欄の情報（「外来診療料」等）、施設記載部分Ｄ１４の情報、フォーマット上の固定の文字列（例えば、患者記載部分Ｄ１２の「氏名」、「受診日」という文字列等）、図３の種別記載部分Ｄ２１の情報、内容記載部分Ｄ２３における「区分」の欄の情報（「調剤技術料」等）、「項目名」の欄の情報（「調剤基本料」等）、施設記載部分Ｄ２４の情報、フォーマット上の固定の文字列（患者記載部分Ｄ２２の「氏名」、「調剤日」という文字列等）であることとして説明する。なお、このように、フォーマット上の固定の文字列も「定型記載情報」であり、他の情報と同様に取り扱われるが、ここでは、説明の便宜上、このフォーマット上の固定の文字列の取り扱いについては、説明を省略する。
【００４０】
また、例えば、「非定型記載情報」が、「定型記載情報」以外の情報であり、図２の患者記載部分Ｄ１２の情報（氏名である「ＡＡ  ＡＡ」、及び受診日である「２０１７年８月３０日」）、内容記載部分Ｄ１３の「点数」の欄の情報（「７０」等）、「回数」の欄の情報「１」、金額記載部分Ｄ１５の情報（「３０００円」）、図３の患者記載部分Ｄ２２の情報（氏名である「ＡＡ  ＡＡ」、及び調剤日である「２０１７年８月３０日」）、内容記載部分Ｄ２３の「点数」の欄の情報（「４０」等）、「備考」の欄の情報（「後発医薬品」等）、及び金額記載部分Ｄ２５の情報（「２０００円」）であることとして説明する。
【００４１】
（構成−情報システム）
図１の情報システム９００は、読取システムを含むシステムであり、例えば、不図示の通信ネットワークを介して相互に通信可能となっている端末装置１、及びサーバ装置２を備える。
【００４２】
（構成−情報システム−端末装置）
端末装置１は、情報システム９００のユーザによって利用されるユーザ端末である。この端末装置１の具体的な内容及び構成は任意であるが、例えば、公知のスマートフォン、又は、タブレット端末等を用いることができ、一例としては、通信部１１、タッチパッド１２、ディスプレイ１３、撮像部１４、記録部１５、及び制御部１６を備える。
【００４３】
（構成−情報システム−端末装置−通信部）
通信部１１は、ネットワークを介して外部装置（例えば、サーバ装置２等）との間で通信するための通信手段である。この通信部１１の具体的な種類や構成は任意であるが、例えば、公知の通信回路等を用いて構成することができる。
【００４４】
（構成−情報システム−端末装置−タッチパッド）
タッチパッド１２は、ユーザの指等で押圧されることにより、当該ユーザから各種操作入力を受け付ける操作手段である。このタッチパッド１２の具体的な構成は任意であるが、例えば、抵抗膜方式や静電容量方式等による操作位置検出手段を備えた公知のものを用いることができる。
【００４５】
（構成−情報システム−端末装置−ディスプレイ）
ディスプレイ１３は、制御部１６の制御に基づいて各種の画像を表示する表示手段である。このディスプレイ１３の具体的な構成は任意であるが、例えば、公知の液晶ディスプレイや有機ＥＬディスプレイの如きフラットパネルディスプレイ等を用いることができる。なお、上記のタッチパッド１２とディスプレイ１３と相互に重畳させてタッチパネルとして一体形成しても構わない。
【００４６】
（構成−情報システム−端末装置−撮像部）
撮像部１４は、画像を撮像する撮像手段である。この撮像部１４の具体的な種類や構成は任意であるが、例えば、公知のイメージセンサ等を備えるカメラを用いて構成することができる。
【００４７】
（構成−情報システム−端末装置−記録部）
記録部１５は、端末装置１の動作に必要なプログラム及び各種のデータを記録する記録手段であり、例えば、外部記録装置としてのハードディスク（図示省略）を用いて構成されている。ただし、ハードディスクに代えてあるいはハードディスクと共に、磁気ディスクの如き磁気的記録媒体、又はＤＶＤやブルーレイディスクの如き光学的記録媒体を含む、その他の任意の記録媒体を用いることができる（他の装置の記録部も同様とする）。
【００４８】
また、この記録部１５には、例えば、端末装置１を一意に識別するための情報である端末装置識別情報（以下、識別情報を「ＩＤ」と称する）が記録されている。なお、この端末装置ＩＤが「ユーザ端末識別情報」に相当する。また、ここでは、例えば、端末装置１０１〜１０６の記録部１５には各々、端末装置ＩＤとしてＩＤ１０１〜ＩＤ１０６が格納されていることとする。
【００４９】
（構成−情報システム−端末装置−制御部）
制御部１６は、端末装置１を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである（他の装置の制御部も同様とする）。特に、実施の形態に係るプログラムは、任意の記録媒体又はネットワークを介して端末装置１にインストールされることで、制御部１６の各部を実質的に構成する（他の装置の制御部も同様とする）。なお、この制御部１６の各部により行われる処理については、後述する。
【００５０】
（構成−情報システム−サーバ装置）
サーバ装置２は、読取システムであり、例えば、通信部２１、記録部２２、及び制御部２３を備える。
【００５１】
（構成−情報システム−サーバ装置−通信部）
通信部２１は、ネットワークを介して外部装置（例えば、端末装置１等）との間で通信するための通信手段である。この通信部２１の具体的な種類や構成は任意であるが、例えば、端末装置１の通信部１１と同様にして構成することができる。
【００５２】
（構成−情報システム−サーバ装置−記録部）
記録部２２は、サーバ装置２の動作に必要なプログラム及び各種のデータを記録する記録手段であり、例えば、マスタ情報データベース（以下、「データベース」を「ＤＢ」と称する）２２１、病名情報ＤＢ２２２、ユーザ情報ＤＢ２２３、読取情報ＤＢ２２４、及び入力情報ＤＢ２２５を備える。
【００５３】
マスタ情報ＤＢ２２１は、マスタ情報を格納するマスタ情報格納手段であり、特に、対象文字列格納手段である。「マスタ情報」とは、サーバ装置２にて読み取られる情報である。図４は、マスタ情報を例示した図である。図４に示すように、マスタ情報は、項目「対象文字列ＩＤ」、及び項目「対象文字列情報」と、各項目に対応する情報とを、相互に関連付けて構成されている。ここで、項目「対象文字列ＩＤ」に対応する情報は、対象文字列を一意に識別する対象文字列ＩＤである（図４では、「ＩＤｃ１」等）。また、項目「対象文字列情報」に対応する情報は、対象文字列を特定する対象文字列情報である（図４では、前述の「定型記載情報」に対応する文字列の候補であり、「基本料」等）。そして、このマスタ情報の格納手法は任意であるが、例えば、管理者が、診療明細書又は調剤明細書に記載される文字列（例えば、単語又は文章等の任意の単位の文字列）の候補を、任意の手法で特定し、特定した文字列をサーバ装置２の不図示の入力手段や通信部２１を介して入力することにより格納される。なお、文字列の候補を特定する任意の手法としては、例えば、所定官庁（例えば、厚生労働省等）から提供されている情報（例えば、医療機関（例えば、病院等）を特定する情報である医療機関情報、診療行為を特定する診療行為情報）、所定機関から提供されている医薬品情報、あるいは、管理者が新たに任意の方法で得た情報等に基づいて特定する手法を用いてもよい。
【００５４】
病名情報ＤＢ２２２は、病名情報を格納する病名情報格納手段である。「病名情報」とは、病名を特定する情報である。図５は、病名情報を例示した図である。図５に示すように、病名情報は、項目「病名ＩＤ」、及び項目「入力病名情報」と、各項目に対応する情報とを、相互に関連付けて構成されている。ここで、項目「病名ＩＤ」に対応する情報は、病名を一意に識別する病名ＩＤである（図５では、「ＩＤｐ１」等）。また、項目「入力病名情報」に対応する情報は、ユーザからの入力に基づいてサーバ装置２に格納するべき病名（又は格納される病名）を特定する入力病名情報である（図５では、任意の規則に基づいて分類された病名であって、例えば国際疾病分類（ＩＣＤ）に記載の病名であり、「糖尿病」等）。そして、この病名情報の格納手法は任意であるが、例えば、管理者が、任意の規則に基づいて分類された病名（例えば、国際疾病分類の病名）を特定し、特定した病名をサーバ装置２の不図示の入力手段や通信部２１を介して入力することにより格納される。
【００５５】
ユーザ情報ＤＢ２２３は、ユーザ情報を格納するユーザ情報格納手段である。「ユーザ情報」とは、ユーザを特定する情報である。図６は、ユーザ情報を例示した図である。図６に示すように、ユーザ情報は、項目「ユーザＩＤ」、項目「端末装置ＩＤ」、項目「氏名情報」、及び項目「家族ＩＤ」と、各項目に対応する情報とを、相互に関連付けて構成されている。ここで、項目「ユーザＩＤ」に対応する情報は、ユーザを一意に識別するユーザＩＤである（図６では、「ＩＤｕ１」等）。また、項目「端末装置ＩＤ」に対応する情報は、前述の端末装置ＩＤであって、ユーザに対応付けられている端末装置１の端末装置ＩＤである（図６では、「ＩＤ１０１」等）。また、項目「氏名情報」は、ユーザの氏名を特定する氏名情報である（図６では、「ＡＡ  ＡＡ」等））。また、項目「家族ＩＤ」とは、ユーザの家族を一意に識別する家族ＩＤである（図６では、同一家族内のユーザに対して同一の家族ＩＤが付されており、「ＩＤｆ１」等）。そして、このユーザ情報の格納手法は任意であるが、例えば、端末装置１のユーザがサーバ装置２のサービスの利用を開始するための初期設定時に、自己又は家族の端末装置１を介してサーバ装置２にアクセスして、端末装置ＩＤ及び氏名情報を入力し、また、自己の家族となるユーザを入力することにより、端末装置ＩＤ、氏名情報、及び家族ＩＤが格納され、また、ユーザＩＤについては、ユーザ情報にて一意となるように格納される。なお、例えば、このユーザ情報の格納については、例えば、ユーザ側から連絡を受けた管理者が、サーバ装置２の不図示の入力手段や通信部２１を介して入力することにより格納されることとしてもよい。
【００５６】
読取情報ＤＢ２２４は、読取情報を格納する読取情報格納手段である。「読取情報」とは、画像から読み取った情報等を特定する情報である。図７は、読取情報を例示した図である。図７に示すように、読取情報は、項目「ユーザＩＤ」、項目「読取氏名情報」、項目「書面管理ＩＤ」、項目「読取日付情報」、項目「読取種別情報」、項目「読取内容情報」、項目「読取額情報」、及び項目「読取施設情報」と、各項目に対応する情報とを、相互に関連付けて構成されている。ここで、項目「ユーザＩＤ」に対応する情報は、図６の同一名称の項目に対応する情報と共通である。また、項目「読取氏名情報」に対応する情報は、画像から読み取った氏名を特定する読取氏名情報であり、例えば、読み取った氏名情報の文字列を特定する読取氏名情報である（図７では、「ＡＡ  ＡＡ」等）。また、項目「書面管理ＩＤ」に対応する情報は、情報を読み取る対象となった画像に対応する書面を識別する書面管理ＩＤであり、例えば、当該書面を管理するために用いられる書面管理ＩＤである（図７では、「ＩＤｄ１」等）。また、項目「読取日付情報」に対応する情報は、画像から読み取った日付を特定する読取日付情報であり、例えば、画像に写っていた日付の文字列を特定する読取日付情報である（図７では、受診日又は調剤日であり「２０１７年８月３０日」等）。また、項目「読取種別情報」に対応する情報は、画像から読み取った書面の種別を特定する読取種別情報であり、例えば、画像に写っていた書面の種別の文字列を特定する読取種別情報である（図７では、「診療明細書」等である）。また、項目「読取内容情報」に対応する情報は、画像から読み取った書面の具体的内容を特定する読取内容情報であり、例えば、画像に写っていた書面の具体的内容の文字列を特定する読取内容情報である。この読取内容情報については任意に格納されるが、例えば図７では、図２及び図３に示すように、診療明細書及び調剤明細書の具体的内容のフォーマットが定められていることに着目して格納する。図２の診療明細書について具体的には、内容記載部分Ｄ１３の「部」、「項目名」、「点数」、及び「回数」の各欄に分類されており、これらの各欄の情報が相互に対応付けられており、これらの欄毎に情報が記載されているので、これらの事項を把握できるように任意に格納するが、一例としては、「（）」付で各欄の名称を示し、当該欄の情報を組み合わせた上で、対応する情報同士を「：」にて組み合わせて格納することとし、例えば、図７では、「（部）基本料：（項目名）外来診療科：（点数）７０：（回数）１」等を格納する。また、図３の調剤明細書について具体的には、内容記載部分Ｄ２３の「区分」、「項目名」、「点数」、及び「備考」の各欄に分類されており、診療明細書と同様にして格納されており、例えば、「（区分）調剤技術料：（項目名）調剤基本料：（点数）４０：（備考）なし」等を格納する。なお、図３の備考の欄が空白の場合には、前述のように「（備考）なし」と格納することとする。また、項目「読取額情報」に対応する情報は、画像から読み取った領収額を特定する読取額情報である（図７では、３０００円を特定する「３０００」等）。また、項目「読取施設情報」に対応す���情報は、画像から読み取った施設を特定する読取施設情報である（図７では、名称であり「Ｈａ総合病院」等）。そして、このユーザ情報の格納手法は任意であるが、例えば、後述の読取情報格納処理にて格納される。
【００５７】
入力情報ＤＢ２２５は、入力情報を格納する読取情報格納手段である。「入力情報」とは、第２医療情報であり、ユーザからの文字列の入力に基づいてサーバ装置２に格納される情報である。図８は、入力情報を例示した図である。図８に示すように、入力情報は、項目「書面管理ＩＤ」、項目「入力病名情報」、及び項目「効果評価情報」と、各項目に対応する情報とを、相互に関連付けて構成されている。ここで、項目「書面管理ＩＤ」に対応する情報は、図７の同一名称の項目に対応する情報と共通であり、また、項目「入力病名情報」に対応する情報は、図５の同一名称の項目に対応する情報と共通である。また、項目「効果評価情報」に対応する情報は、効果及び評価を特定する効果評価情報であり、例えば、診療及び薬剤の効果、及び病院に対する評価を特定する効果評価情報である（図８では、効果及び評価共に１〜５の５段階であり、効果が「４」であり且つ評価が「５」である「効果：４，評価：５」等）。そして、この入力情報の格納手法は任意であるが、例えば、後述の情報入力処理にて格納される。
【００５８】
（構成−情報システム−サーバ装置−制御部）
制御部２３は、サーバ装置２を制御する制御手段であり、例えば、機能概念的に、画像取得部２３１、読取部２３２、受付部２３３、支援部２３４、認証部２３５、アクセス制御部２３６、及び出力部２３７を備える。画像取得部２３１は、第１医療情報を特定する文字列である医療情報文字列が表示されている文字列画像を取得する画像取得手段である。読取部２３２は、画像取得部２３１が取得した文字列画像と、マスタ情報ＤＢ２２１が格納している対象文字列とに基づいて、画像取得部２３１が取得した文字列画像に表示されている医療情報文字列を読み取る読取手段である。受付部２３３は、サーバ装置２のユーザによって入力された第２医療情報を受け付ける受付手段である。支援部２３４は、サーバ装置２のユーザによる第２医療情報の入力を支援する支援手段である。認証部２３５は、サーバ装置２のユーザの認証を行う認証手段である。アクセス制御部２３６は、認証部２３５にて認証されたユーザによるサーバ装置２へのログインを許可し、認証部２３５にて認証さなかったユーザによるサーバ装置２へのログインを禁止するアクセス制御手段である。出力部２３７は、少なくとも読取部２３２が読み取った医療情報文字列を所定の形式にて出力する出力手段である。なお、この制御部２３の各部により行われる処理については、後述する。
【００５９】
（処理）
次に、このように構成される情報システム９００によって実行されるログイン制御処理、読取情報格納処理、病名情報入力処理、効果評価情報入力処理、及び情報出力処理について説明する。なお、図４のマスタ情報、図５の病名情報、及び図６のユーザ情報が前述の任意の手法で格納されていることを前提として説明する。
【００６０】
（処理−ログイン制御処理）
図９は、ログイン制御処理のフローチャートである（以下の各処理の説明ではステップを「Ｓ」と略記する）。「ログイン制御処理」とは、概略的には、サーバ装置２によって実行される処理であり、具体的には、ユーザによるログインを制御する処理であり、例えば、端末装置１を介して行われるユーザによるログインを禁止したり又は許可したりする処理である。このログイン制御処理を実行するタイミングは任意であるが、例えば、ログイン中でない（つまり、ログアウト中である）ユーザが端末装置１のタッチパッド１２にてログインするための所定操作（例えば、ログインボタンを押下する等）を行うことにより、撮像部１４にて自己の診療明細書又は調剤明細書を撮像した後に、端末装置１が、ログインを要求する信号であるログイン要求信号をサーバ装置１に送信し、当該信号をサーバ装置２が受信した場合に起動して、実行を開始することとし、実行が開始された後から説明する。
【００６１】
詳細には、ユーザがログインするための所定操作を行って、撮像部１４にて自己の診療明細書又は調剤明細書を撮像した後、制御部１６は、自己の記録部１５の端末装置ＩＤを取得し、また、撮像した画像を取得し、この後、取得した端末装置ＩＤ及び画像を含むログイン要求信号を生成し、生成したログイン要求信号を、通信部１１を介してサーバ装置２に送信する。この後、サーバ装置２は、端末装置１からのログイン要求信号を、通信部２１を介して受信し、この場合に、ログイン制御処理が起動する。ここでは、例えば、端末装置１０１のユーザがログインするための所定操作を行った場合を例示するが、この場合、撮像部１４にて図２の診療明細書を撮像した後、制御部１６は、自己の記録部１５の「ＩＤ１０１」を取得し、また、撮像した図２の診療明細書の画像を取得し、この後、取得した「ＩＤ１０１」及び画像を含むログイン要求信号を生成して送信する。この後、サーバ装置２は、端末装置１からのログイン要求信号を、通信部２１を介して受信し、この場合に、ログイン制御処理が起動する。
【００６２】
まず、図９のＳＡ１において画像取得部２３１は、情報を取得する。具体的には任意であるが、例えば、ログイン制御処理の起動時に受信したログイン要求信号に含まれる端末装置ＩＤ及び画像を取得する。ここでは、例えば、「ＩＤ１０１」及び図２の診療明細書の画像を取得する。
【００６３】
図９のＳＡ２において認証部２３５は、ログインを許可するか否かを判定する。具体的には任意であるが、例えば、ＳＡ１で取得した画像から氏名を特定し、また、ＳＡ１で画像取得部２３１が取得した端末装置ＩＤを取得した上で、図６のユーザ情報を参照して、特定した氏名に対応する氏名情報と取得した端末装置ＩＤとが相互に関連付けられているか否かに基づいて認証の処理を行った上で、処理結果に基づいて判定する。なお、ＳＡ１で取得した画像から氏名を特定する具体的な手法としては、任意であり、例えば、公知の画像認識の技術を用いて行ってもよいし、あるいは、後述する図１０のＳＢ２の処理と同様な処理を行って特定してもよい。そして、図６のユーザ情報にて、相互に関連付けられていない場合、ユーザを認証せずに、ログインを許可しないものと判定し（ＳＡ２のＮＯ）、ＳＡ４に移行する。また、図６のユーザ情報にて、相互に関連付けられている場合、ユーザを認証した上で、ログインを許可するものと判定し（ＳＡ２のＹＥＳ）、ＳＡ３に移行する。ここでは、例えば、ＳＡ１で取得した図２の診療明細書の画像から氏名として「ＡＡ  ＡＡ」を特定し、また、ＳＡ１で取得した「ＩＤ１０１」を取得した上で、図６のユーザ情報を参照して、「ＡＡ  ＡＡ」と「ＩＤ１０１」とが相互に関連付けられているので、ユーザを認証した上で、ログインを許可するものと判定する。
【００６４】
図９のＳＡ３においてアクセス制御部２３６は、ログインを許可する。具体的には任意であるが、例えば、ＳＡ２において認証部２３５にてユーザが認証されたので、ログインが許可されたことを報知する信号であるログイン許可信号を端末装置１に送信することにより、ログインを許可する。詳細には、ＳＡ１で取得した端末装置ＩＤを含むログイン許可信号を生成し、生成したログイン許可信号を、通信部２１を介して端末装置１に送信した上で、これ以降の当該端末装置１との接続を確立して、端末装置１側がサーバ装置２側にログインした状態にして、ログインを許可する。ここでは、例えば、「ＩＤ１０１」を含むログイン許可信号を生成して送信した上で、これ以降の端末装置１０１との接続を確立して、端末装置１０１側がサーバ装置２側にログインした状態にして、ログインを許可する。一方、端末装置１の制御部１６は、通信部１１を介して当該ログイン許可信号を受信し、受信したログイン許可信号から端末装置ＩＤを取得し、取得した端末装置ＩＤと自己の記録部１５の端末装置ＩＤとを比較して、これらの端末装置ＩＤが一致している場合に、ディスプレイ１３にログインに成功した旨のメッセージを表示させる等してログインが成功したことを報知する。なお、この後のログアウトのタイミングについては任意であるが、例えば、端末装置１側からサーバ装置２側に所定時間（例えば、１０分〜１５分等）アクセスがなかった場合、あるいは、端末装置１側に所定操作（例えば、ログアウトボタンの押下等）が行われた場合にログアウトすることとしてもよい。
【００６５】
一方、図９のＳＡ４においてアクセス制御部２３６は、ログインを禁止する。具体的には任意であるが、例えば、ＳＡ２において認証部２３５にてユーザが認証さなかったので、ログインが禁止されたことを報知する信号であるログイン禁止信号を端末装置１に送信することにより、ログインを禁止する。詳細には、ＳＡ１で取得した端末装置ＩＤを含むログイン禁止信号を生成し、生成したログイン禁止信号を、通信部２１を介して端末装置１に送信した上で、端末装置１との接続を切断して、端末装置１側がサーバ装置２側にログインしていない状態を維持してログインを禁止する。一方、端末装置１の制御部１６は、ログイン禁止信号を受信した場合、ログイン許可信号の場合と同様な処理を行って、ディスプレイ１３にログインに失敗した旨のメッセージを表示させる等してログインが禁止されたことを報知する。これにて、ログイン制御処理を終了する。
【００６６】
（処理−読取情報格納処理）
図１０は、読取情報格納処理のフローチャートである。「読取情報格納処理」とは、概略的には、サーバ装置２によって実行される処理であり、具体的には、画像から情報を読み取って格納する処理であり、例えば、診療明細書又は調剤明細書の画像から情報を読み取って図７の読取情報を格納する処理である。この読取情報格納処理を実行するタイミングは任意であるが、例えば、ログイン制御処理にてログインが許可された後に、ユーザが端末装置１のタッチパッド１２にて各明細書を記録するための所定操作（例えば、明細書記録ボタンを押下する等）を行うことにより、撮像部１４にて自己の診療明細書又は調剤明細書を撮像した後に、端末装置１が、撮像した診療明細書又は調剤明細書の画像を含む信号である明細書画像信号をサーバ装置１に送信し、当該信号をサーバ装置２が受信した場合に起動して、実行を開始することとし、実行が開始された後から説明する。なお、例えば、「ユーザが端末装置１のタッチパッド１２にて各明細書を記録するための所定操作（例えば、明細書記録ボタンを押下する等）を行うことにより、撮像部１４にて自己の診療明細書又は調剤明細書を撮像した後に、端末装置１が、撮像した診療明細書又は調剤明細書の画像を含む信号である明細書画像信号を送信する」ことが、「文字列画像の入力」に相当する。
【００６７】
詳細には、ユーザが各明細書を記録するための所定操作を行って、撮像部１４にて自己の診療明細書又は調剤明細書を撮像した後、制御部１６は、自己の記録部１５の端末装置ＩＤを取得し、また、撮像した画像を取得し、この後、取得した端末装置ＩＤ及び画像を含む明細書画像信号を生成し、生成した明細書画像信号を、通信部１１を介してサーバ装置２に送信する。この後、サーバ装置２は、端末装置１からの明細書画像信号を、通信部２１を介して受信し、この場合に、読取情報格納処理が起動する。ここでは、例えば、端末装置１０１のユーザが各明細書を記録するための所定操作を行った場合を例示するが、この場合、撮像部１４にて図２の診療明細書を撮像した後、制御部１６は、自己の記録部１５の「ＩＤ１０１」を取得し、また、撮像した図２の診療明細書の画像を取得し、この後、取得した「ＩＤ１０１」及び画像を含む明細書画像信号を生成して送信する。この後、サーバ装置２は、端末装置１からの明細書画像信号を、通信部２１を介して受信し、この場合に、明細書画像信号が起動する。
【００６８】
まず、図１０のＳＢ１において画像取得部２３１は、情報を取得する。具体的には任意であるが、例えば、明細書画像信号に含まれる端末装置ＩＤ及び画像を取得する。ここでは、例えば、「ＩＤ１０１」及び図２の診療明細書の画像を取得する。なお、ここで取得する画像が「文字列画像」に相当し、この画像に表示されている文字列が「医療情報文字列」に相当する。
【００６９】
図１０のＳＢ２において読取部２３２は、情報を読み取る。具体的には任意であるが、例えば、ＳＢ１で取得した画像について、例えば、診療明細書及び調剤明細書には、前述の「定型記載情報」と「非定型記載情報」とが含まれていることに着目して、これらの各情報に分けて読み取る。
【００７０】
まず、ＳＢ１で取得した画像にて、任意の手法（例えば、各明細書のフォーマットが定まっていることに着目して、位置から特定する手法等）で、「定型記載情報」に対応する部分及び「非定型記載情報」に対応する部分に分けた後に、各部分について以下の処理を行う。
【００７１】
「定型記載情報」に対応する部分の画像については、文字列の候補が予め定められているので、図４のマスタ情報を利用するが、まず、任意の手法（例えば、光学的文字認識（ＯＣＲ）等の画像認識技術等を用いて画像認識して文字列に変換する手法等）にて画像を文字列に変換し、変換した文字列と図４の対象文字列情報との一致の度合いを示す相関度を、図４の各対象文字列情報について演算した上で、演算した相関度を各対象文字列情報に対応付けてリスト化してリストを生成する。次に、記録部２２に予め閾値となる相関度である閾値相関度（例えば、９０％等）が記録されていることとし、リスト化した相関度のうちの閾値相関度を越えるものを特定し、特定した相関度のうちの最大のものを取得する。次に、取得した最大の相関度に対応付けられている対象文字列情報を前述のリストから特定し、特定した対象文字列を「定型記載情報」に対応する部分の画像の文字列として読み取る。このような処理を、「定型記載情報」に対応する部分の画像全てについて行う。なお、前述のリスト化した相関度のうちの閾値相関度を越えるものが存在せずに特定できなかった場合の処理は任意であるが、例えば、情報を正確に読み取って記録する観点から、読み取りエラーを端末装置１に送信することにより、当該端末装置１のディスプレイ１３にてエラーメッセージを表示させて、処理を終了することとする。
【００７２】
ここでは、例えば、まず、任意の手法にて図２の種別記載部分Ｄ１１の画像を文字列に変換し、変換した文字列と図４の対象文字列情報との一致の度合いを示す相関度を、図４の各対象文字列情報について演算してリスト化してリストを生成するが、図２の種別記載部分Ｄ１１の文字は比較的大きなサイズにて記載されているが、１文字間違いで「診療明細細」に変換し、変換した「診療明細細」と図４の対象文字列情報との相関度として、例えば、図４の「診療明細書」の情報に対して「９３％」、「調剤明細書」の情報に対して「６０％」、「基本料」の情報に対して「１０％」と演算した上でリスト化してリストを生成する。次に、リスト化した相関度のうちの閾値相関度である「９０％」を越えるものとして「９３％」を特定し、また、特定した相関度のうちの最大のものとして「９３％」を取得する。次に、取得した最大の相関度に対応付けられている対象文字列情報として図４の「診療明細書」を特定し、特定した「診療明細書」を種別記載部分Ｄ１１の画像の文字列として読み取る。このような処理を、「定型記載情報」に対応する部分の画像全て（つまり、内容記載部分Ｄ１３における「部」及び「項目名」の欄の情報等）について行う。
【００７３】
「非定型記載情報」に対応する部分の画像については、文字列の候補が予め定められているわけではないので、図４のマスタ情報を利用せずに、従来と同様にして任意の手法にて画像を文字列に変換し、変換した文字列を「非定型記載情報」に対応する部分の画像の文字列として読み取る。このような処理を、「非定型記載情報」に対応する部分の画像全てについて行う。
【００７４】
ここでは、例えば、図２の内容記載部分Ｄ１３の「点数」の欄の画像を文字列である「７０」に変換し、変換した文字列を「非定型記載情報」に対応する部分の画像の文字列として読み取る。このような処理を、「定型記載情報」に対応する部分の画像全て（つまり、内容記載部分Ｄ１３の「点数」の欄の情報等）について行う。
【００７５】
図１０のＳＢ３において読取部２３２は、情報を格納する。具体的には任意であるが、例えば、ＳＢ２の読取結果に基づいて、図７の読取情報を格納する。詳細には、まず、ＳＢ２で読み取った図２又は図３の患者記載部分Ｄ１２、Ｄ２２の氏名の文字列を取得し、図６を参照して当該氏名の文字列に対応するユーザＩＤを特定した上で、特定したユーザＩＤを図７の読取情報のユーザＩＤに格納し、また、前述の取得した氏名の文字列を図７の読取情報の読取氏名情報に格納する。また、ＳＢ１で取得した画像単位で情報を管理するために一意となる書面管理ＩＤを生成して、生成した書面管理ＩＤを図７の書面管理ＩＤに格納する。また、ＳＢ２で読み取った図２又は図３の患者記載部分Ｄ１２の受診日又は患者記載部分Ｄ２２の調剤日の文字列を取得し、取得した受診日又は調剤日の文字列を図７の読取日付情報に格納する。また、ＳＢ２で読み取った図２又は図３の種別記載部分Ｄ１１、Ｄ２１の書面の種別の文字列を取得し、取得した書面の種別の文字列を図７の読取種別情報に格納する。また、ＳＢ２で読み取った図２又は図３の内容記載部分Ｄ１３の診療に関する具体的な内容の文字列、内容記載部分Ｄ２３の調剤に関する具体的な内容の文字列を読み取って、読み取ったこれらの内容の文字列を図７の読取内容情報に格納する。また、ＳＢ２で読み取った図２又は図３の金額記載部分Ｄ１５、Ｄ２５の領収額の文字列を取得し、取得した領収額の文字列を図７の読取額情報に格納する。また、ＳＢ２で読み取った図２又は図３の施設記載部分Ｄ１４、Ｄ２４の施設の文字列を取得し、取得した施設の文字列を図７の読取施設情報に格納する。ここでは、例えば、図２の診療明細書の画像を取得した場合、図７の「書面管理ＩＤ」＝「ＩＤｄ１」に対応する各情報を格納する。これにて、読取情報格納処理を終了する。
【００７６】
（処理−病名情報入力処理）
図１１は、病名情報入力処理のフローチャートである。「病名情報入力処理」とは、概略的には、端末装置１及びサーバ装置２によって実行される処理であり、具体的には、ユーザから入力された文字列に基づいて情報を格納する処理であり、例えば、図８の入力情報の入力病名情報を格納する処理である。この病名情報入力処理を実行するタイミングは任意であるが、例えば、ログイン制御処理にてログインが許可された後に、ユーザが端末装置１のタッチパッド１２にて入力病名情報を入力するための所定操作（例えば、入力病名情報入力ボタンを押下する等）を行った場合に起動して、実行を開始することとし、実行が開始された後から説明する（効果評価情報入力処理も同様とする）。また、入力病名情報は、例えば、図８に示されているように、書面管理ＩＤと対応付けられているので、ユーザが、病名情報入力処理の起動時に、対応付けを行う書面管理ＩＤを、タッチパッド１２にて指定するものとして説明する（効果評価情報入力処理も同様とする）。また、ここでは、例えば、端末装置１０１のユーザが病名情報入力処理の起動直後に、「糖尿病」という文字列を入力する場合を適宜例示して説明する。
【００７７】
まず、図１１のＳＣ１において端末装置１の制御部１６は、情報を送信する。具体的には任意であるが、例えば、タッチパッド１２を介してユーザからの入力された文字列を取得し、また、自己の記録部１５の端末装置ＩＤを取得し、また、病名情報入力処理の起動時に指定した書面管理ＩＤを取得した上で、取得した文字列、端末装置ＩＤ、及び書面管理ＩＤを含む入力情報信号を生成し、生成した入力情報信号を通信部１１を介してサーバ装置２に送信する。ここでは、例えば、端末装置１０１のユーザが、タッチパッド１２を介して、自己が患っている病気として認識している病名である「糖尿病」を入力し、書面管理ＩＤとして「ＩＤｄ１」を選択した場合、「ＩＤ１０１」、「糖尿病」、及び「ＩＤｄ１」を含む入力情報信号を生成して送信する。
【００７８】
一方、図１１のＳＤ１においてサーバ装置２の受付部２３３は、情報を受信する。具体的には任意であるが、例えば、ＳＣ１で送信された入力情報信号を通信部２１を介して受信する。ここでは、例えば、「ＩＤ１０１」、「糖尿病」、及び「ＩＤｄ１」を含む入力情報信号を受信する。
【００７９】
図１１のＳＤ２においてサーバ装置２の支援部２３４は、情報を検索して支援する。具体的には任意であるが、例えば、ＳＤ１で受信した入力情報信号から文字列を取得し、図５の病名情報を参照して、この図５の入力病名情報において、前述の取得した文字列に対応するものを検索する。ここでの検索手法は任意であるが、例えば、適切な病名（例えば、国際疾病分類（ＩＣＤ）に記載の病名）を図８の入力病名情報に記録することが望まれるが、一般的なユーザ（患者）は、適切な病名に対する知識に乏しく、自己の病気において、病名の通称しか思い出せなかったり、あるいは、適切な病名の全文がうろ覚えで一部のみの文言のみしか思い出せなかったりすることが多々あることを考慮して、このような状況下でのユーザからの入力を受けて図８の入力病名情報を検索できるように任意の技術（例えば、機械学習等を用いて通称から適切な病名を検索する手法、あるいは、ユーザからの入力の文字列を含む入力病名情報を検索する文字検索の手法等）を用いることができる。ここでは、例えば、一般的なユーザが、適切な病名の全文がうろ覚えで一部のみの文言のみしか思い出せないことがあることを考慮して、ユーザからの入力の文字列を含む入力病名情報を検索する文字検索の手法にて情報を検索する場合について説明する。ここでは、例えば、ＳＤ１で受信した入力情報信号から「糖尿病」を取得し、図５の病名情報を参照して、入力病名情報にて「糖尿病」に対応するものとして、当該「糖尿病」を含むものである「病名ＩＤ」＝「ＩＤｐ１」〜「ＩＤｐ４」に対応するものを検索する。
【００８０】
図１１のＳＤ３においてサーバ装置２の支援部２３４は、情報を提示する。具体的には任意であるが、例えば、ＳＤ２で検索した情報を端末装置１に提示する。詳細には、ＳＤ１で受信した入力情報信号から端末装置ＩＤを取得し、取得した端末装置ＩＤに対応する端末装置１に対して、適宜の通信を行って、ＳＤ２で検索情報を送信して情報を提示する。ここでは、例えば、端末装置１０１に対して図５の「病名ＩＤ」＝「ＩＤｐ１」〜「ＩＤｐ４」に対応する入力病名情報を送信して情報を提示する。
【００８１】
一方、図１１のＳＣ２において端末装置１の制御部１６は、情報を選択する。具体的には任意であるが、例えば、まず、制御部１６は、ＳＤ３で送信された入力病名情報を受信し、受信した入力病名情報をディスプレイ１３に表示する。これに対して、端末装置１のユーザは、この表示された入力用情報を視認し、自己の病名の全文を思い出した上で、思いだした病名をタッチパッド１２にて選択入力する。この後、制御部１６は、タッチパッド１２を介してユーザからの選択入力を受け付けて、サーバ装置２との間で適宜の通信を行うことにより、この受け付けた選択入力をサーバ装置２に送信する。ここでは、例えば、ユーザが図４の「糖尿病網膜症」を選択入力した場合、制御部１６は、「糖尿病網膜症」をサーバ装置２に送信することにより選択する。
【００８２】
一方、図１１のＳＤ４においてサーバ装置２の受付部２３３は、情報を受信する。具体的には任意であるが、例えば、ＳＣ２で送信されたユーザの選択入力を受信する。ここでは、例えば、「糖尿病網膜症」を受信する。
【００８３】
図１１のＳＤ５においてサーバ装置２の受付部２３３は、情報を格納する。具体的には任意であるが、例えば、ＳＤ４で受信したユーザの選択入力、及び、ＳＤ１で受信した入力情報信号の書面管理ＩＤを取得し、取得した書面管理ＩＤ及びユーザの選択入力を、図
８の書面管理ＩＤ及び入力病名情報に格納する。ここでは、図８の「ＩＤｄ１」及び「糖尿病網膜症」を格納する。これにて、病名情報入力処理を終了する。
【００８４】
（処理−効果評価情報入力処理）
「効果評価情報入力処理」とは、概略的には、端末装置１及びサーバ装置２によって実行される処理であり、具体的には、ユーザから入力された文字列に基づいて情報を格納する処理であり、例えば、図８の入力情報の効果評価情報入力処理を格納する処理である。なお、この効果評価情報入力処理については、公知の処理を含む任意の処理を適用することができので、概要のみ説明する。また、ここでは、例えば、端末装置１０１のユーザが効果評価情報入力処理の起動直後に、効果である「４」及び評価である「５」という文字列を入力する場合を適宜例示して説明する。
【００８５】
まず、端末装置１の制御部１６は、タッチパッド１２を介してユーザからの入力された文字列を取得してサーバ装置２に送信し、一方、サーバ装置２の受付部２３３は、端末装置１からの文字列を受信して、受信した文字列を図８の効果評価情報に格納する。ここでは、例えば、制御部１６が効果である「４」及び評価である「５」という文字列を送信した場合、サーバ装置２の受付部２３３は、当該文字列を受信して図８の「効果：４，評価：５」を格納する。これにて、効果評価情報入力処理を終了する。
【００８６】
（処理−情報出力処理）
図１２は、情報出力処理のフローチャートである。「情報出力処理」とは、概略的には、端末装置１及びサーバ装置２によって実行される処理であり、具体的には、少なくとも読取部２３２が読み取った文字列を所定の形式にて出力する処理である。なお、「所定の形式」とは、予め定められている任意の形式であり、例えば、情報の利用ニーズに応じて定められている形式であり、一例としては、確定申告時に提出するべき医療費集計フォームに対応する形式、あるいは、個人の家計簿のフォームに対応する形式等を含む概念である。この情報出力処理を実行するタイミングは任意であるが、例えば、ログイン制御処理にてログインが許可された後に、ユーザが端末装置１のタッチパッド１２にて情報出力ための所定操作（例えば、情報出力ボタンを押下する等）を行った場合に起動して、実行を開始することとし、実行が開始された後から説明する。また、ここでは、例えば、医療費集計フォームに対応する形式にて情報を出力する場合について説明し、特に、端末装置１０１のユーザが、自己及び自己の家族の情報を出力する場合について説明する。
【００８７】
まず、図１２のＳＥ１において端末装置１の制御部１６は、情報を送信する。具体的には任意であるが、例えば、自己の記録部１５の端末装置ＩＤを取得た上で、取得した端末装置ＩＤを含む出力要求信号を生成し、生成した出力要求信号を通信部１１を介してサーバ装置２に送信する。ここでは、例えば、「ＩＤ１０１」を含む出力要求信号を生成して送信する。
【００８８】
一方、図１１のＳＦ１においてサーバ装置２の出力部２３７は、情報を受信する。具体的には任意であるが、例えば、ＳＥ１で送信された出力要求信号を通信部２１を介して受信する。ここでは、例えば、「ＩＤ１０１」を含む出力要求信号を受信する。
【００８９】
図１１のＳＦ２においてサーバ装置２の出力部２３７は、出力する情報である出力情報を生成する。具体的には任意であるが、例えば、まず、ＳＦ１で受信した出力要求信号から端末装置ＩＤを取得し、図６のユーザ情報を参照して、取得した端末装置ＩＤに対応する家族ＩＤを特定し、この図６のユーザ情報にて、当該特定した家族ＩＤに対応するユーザＩＤを取得する。次に、図７の読取情報を参照して、読取日付情報に着目して本年度分の情報であり且つ前述の取得した全てのユーザＩＤに対応する情報をユーザＩＤ毎に取得する。次に、この取得した情報中の書面管理ＩＤを特定し、図８の入力情報を参照して、特定した書面管理ＩＤに対応する入力病名情報を取得する。この後、取得した各情報のうちの任意の情報を用いて出力情報を生成するが、例えば、図７の読取氏名情報、読取日付情報、読取額情報、読取施設情報、及び図８の入力病名情報を含む出力情報を、医療費集計フォームに対応する形式にて、前述の家族ＩＤに対応するユーザＩＤ毎に生成する。
【００９０】
ここでは、例えば、まず、ＳＦ１で受信した出力要求信号から端末装置ＩＤとして「ＩＤ１０１」を取得し、図６のユーザ情報を参照して、取得した「ＩＤ１０１」に対応する家族ＩＤとして「ＩＤｆ１」を特定し、この図６のユーザ情報にて、当該特定した「ＩＤｆ１」に対応するユーザＩＤとして「ＩＤｕ１」、「ＩＤｕ２」、及び「ＩＤｕ３」を取得する。次に、図７の読取情報を参照して、読取日付情報に着目して本年度分の情報であり且つ「ＩＤｕ１」、「ＩＤｕ２」、及び「ＩＤｕ３」に対応する情報をユーザＩＤ毎に取得する。次に、この取得した情報中の書面管理ＩＤとして「ＩＤｄ１」及び「ＩＤｄ２」等を特定し、図８の入力情報を参照して、特定した「ＩＤｄ１」及び「ＩＤｄ２」等に対応する入力病名情報を取得する。この後、取得した各情報のうちの任意の情報を用いて出力情報を生成するが、例えば、図７の読取氏名情報、読取日付情報、読取額情報、読取施設情報、及び図８の入力病名情報を含む出力情報を、医療費集計フォームに対応する形式にて、前述の家族ＩＤに対応するユーザＩＤ毎に生成する。
【００９１】
図１１のＳＦ３においてサーバ装置２の出力部２３７は、情報を送信して出力する。具体的には任意であるが、例えば、ＳＦ２にて生成した医療費集計フォームに対応する形式の出力情報を取得し、また、ＳＦ１にて受信した出力要求信号の端末装置ＩＤを取得した上で、取得した端末装置ＩＤが特定する端末装置１に、取得した出力情報を送信する。ここでは、例えば、ＳＦ１にて受信した出力要求信号の端末装置ＩＤとして「ＩＤ１０１」を取得した上で、取得した「ＩＤ１０１」が特定する端末装置１０１に、取得した医療費集計フォームに対応する形式の出力情報を送信する。
【００９２】
一方、図１１のＳＥ２において端末装置１の制御部１６は、情報を受信する。具体的には任意であるが、例えば、ＳＦ１で送信された、医療費集計フォームに対応する形式の出力情報を受信する。ここでは、例えば、端末装置１０１の制御部１６が当該出力情報を受信することになるが、この場合、端末装置１０１のユーザは、当該医療費集計フォームに対応する形式の出力情報を、必要に応じて任意に編集した上で、容易に確定申告を行うことが可能となる。これにて、情報出力処理を終了する。
【００９３】
（実施の形態の効果）
このように本実施の形態によれば、画像取得部２３１が取得した文字列画像と、マスタ情報ＤＢ２２１が格納している対象文字列情報とに基づいて、画像取得部２３１が取得した文字列画像に表示されている医療情報文字列を読み取ることにより、例えば、マスタ情報ＤＢ２２１が格納している対象文字列情報を基準に医療情報文字列を読み取ることができるので、文字列画像における医療情報文字列の読み取り精度を向上させることが可能となる。また、例えば、ユーザによる手入力を行うことなく医療情報文字列を読み取ることができるので、情報システム９００を用いて、医療情報を効率的に収集することが可能となる。
【００９４】
また、受付部２３３が受け付けた第２医療情報を格納することにより、例えば、ユーザが所望する任意の医療情報（一例としては、病名の情報等）を第２医療情報として格納することができるので、情報システム９００の利用性を向上させることが可能となる。
【００９５】
また、ユーザによる第２医療情報の入力を支援することにより、例えば、ユーザに対して第２医療情報を容易に入力させることができるので、情報システム９００の利用性を一層向上させることが可能となる。
【００９６】
また、認証されたユーザによるログインを許可し、認証されなかったユーザによるログインを禁止することにより、例えば、適正なユーザに対してのみログインさせることができるので、情報システム９００のセキュリティを向上させることが可能となる。
【００９７】
また、文字列画像と端末装置ＩＤとに基づいてユーザの認証を行うことにより、例えば、ユーザの認証のために一般的に用いられるログイン名及びパスワード等を用いること無く認証を行うことができるので、ユーザに対してログイン名又はパスワード等の入力を求めることなく認証を行うことができ、情報システム９００のセキュリティを向上させた上で、情報システム９００の利用性を一層向上させることが可能となる。
【００９８】
また、医療情報文字列を所定の形式にて出力することにより、例えば、ユーザが所望する形式にて医療情報を出力することができるので、情報システム９００の利用性を一層向上させることが可能となる。特に、例えば、医療情報文字列を確定申告時に提出するべき医療費集計フォームに対応する形式にて出力した場合、ユーザは、医療費集計フォームを手入力にて新たに作成することが不要となり、確定申告を容易に行うことが可能となる。この場合、ユーザに対して自己の情報の入力を促進することができるので、情報システム９００を用いて、医療情報を効率的に収集することが可能となる。
【００９９】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【０１００】
（解決しようとする課題や発明の効果について）
まず、発明が解決しようとする課題や発明の効果は、上述の内容に限定されるものではなく、発明の実施環境や構成の詳細に応じて異なる可能性があり、上述した課題の一部のみを解決したり、上述した効果の一部のみを奏したりすることがある。
【０１０１】
（分散や統合について）
また、上述した構成は機能概念的なものであり、必ずしも物理的に図示の如く構成されていることを要しない。すなわち、各部の分散や統合の具体的形態は図示のものに限られず、その全部または一部を、任意の単位で機能的または物理的に分散又は統合して構成できる。本出願における「システム」とは、複数の装置によって構成されたものに限定されず、単一の装置によって構成されたものを含む。また、本出願における「装置」とは、単一の装置によって構成されたものに限定されず、複数の装置によって構成されたものを含む。
【０１０２】
（ログイン処理について（その１））
また、上記実施の形態においては、認証部２３５が、画像取得部２３１が取得した画像と、端末装置１に格納されている端末装置ＩＤとに基づいて認証を行う場合について説明したが、これに限らず、公知の手法を含む任意の手法で認証を行ってもよい。具体的には、各ユーザについて、ログイン名とパスワードを登録しておき、端末装置１側からのログイン名とパスワードを受け付けて、これらを比較して一致しているか否かに基づいて認証を行ってもよい。
【０１０３】
（ログイン処理について（その２））
また、上記実施の形態のログイン処理にて、ログインが許可された後でなければ、端末装置１側からサーバ装置２側へのあらゆるアクセスが禁止されることとしてもよい。
【０１０４】
（情報出力処理について）
また、上記実施の形態の情報出力処理において、ユーザが、端末装置１を介してサーバ装置２にアクセスして、図７の読取情報及び図８の入力情報から所望の情報を選択できるように構成した上で、サーバ装置２の出力部２３７が、この選択された情報を端末装置１側に出力するように構成してもよい。
【０１０５】
（情報について）
また、上記実施の形態の各情報を任意に変更してもよい。例えば、図６のユーザ情報について、家族における各ユーザの続柄を示す続柄情報を付加した上で、情報出力処理にて当該続柄情報も出力してもよい。
【０１０６】
（文字列関連性特定情報ＤＢについて（その１））
また、上記実施の形態のサーバ装置２の記録部２２に文字列関連性特定情報ＤＢを設けてもよい。文字列関連性特定情報ＤＢとは、文字列関連性特定情報を格納する文字列関連性特定情報格納手段である。「文字列関連性特定情報」とは、第１医療情報の相互に関連する複数種類の情報に対応する複数種類の文字列相互間の関連性を特定する情報である。図１３は、文字列関連性特定情報を例示した図である。図１３に示すように、文字列関連性特定情報は、項目「第１対象文字列情報」、及び項目「第２対象文字列情報」と、各項目に対応する情報とを、相互に関連付けて構成されている。ここで、項目「第１対象文字列情報」に対応する情報は、一部の対象文字列を特定する第１対象文字列情報である（図１３では、図２の内容記載部分Ｄ１３の「部」の欄、又は、図３の内容記載部分Ｄ２３の「区分」の欄に記載されるべき文字列であり、「基本料」等）。また、項目「第２対象文字列情報」に対応する情報は、他の一部の対象文字列を特定する第２対象文字列情報である（図１３では、図２の内容記載部分Ｄ１３の「項目名」の欄、又は、図３の内容記載部分Ｄ２３の「項目名」の欄に記載されるべき文字列であり、「外来診療科」等）。そして、この文字列関連性特定情報の格納手法は任意であるが、例えば、一般的に、診療明細書の「部」の欄の情報に対応する「項目名」の欄の情報の候補が予め定められており、また、調剤明細書の「区分」の欄の情報に対応する「項目名」の欄の情報の候補も予め定められていることに着目して、実施の形態で説明した図４のマスタ情報を格納する場合に言及した各情報等に基づいて、管理者が入力することにより格納される。
【０１０７】
そして、図１０のＳＢ２において読取部２３２は、この文字列関連性特定情報ＤＢの文字列関連性特定情報も利用して情報を読み取ってもよい。このように構成した場合、文字列関連性特定情報にも基づいて文字列画像に表示されている医療情報文字列を読み取ることにより、例えば、医療情報文字列の読取精度を向上させることが可能となる。具体的には任意であるが、例えば、実施の形態で説明した「定型記載情報」に対応する部分の画像の読取に関して、図２の内容記載部分Ｄ１３の相互に対応付けられている「部」又は「項目名」の画像のうち、「部」に対応する画像の読取を実施の形態の手法で行った後に、以下ようにして「項目名」に対応する画像の読取を行うようにしてもよい。「部」に対応する画像の読取の後の「項目名」に対応する画像の読取について詳細には、まず、先に読みとられた「部」に対応する画像の文字列を取得し、図１３の文字列関連性特定情報を参照して、この取得した文字列に対応するものを第１対象文字列情報に特定し、特定した第１対象文字列情報に対応付けられている第２対象文字列情報を取得する。次に、「項目名」に対応する画像について、任意の手法にて文字列に変換し、変換した文字列と前述の取得した第２対象文字列情報との一致の度合いを示す相関度を演算した上で、演算した相関度を取得した第２対象文字列情報に対応付けてリスト化してリストを生成する。この後、実施の形態で説明した場合と同様にして、リスト化した相関度のうちの閾値相関度を越えるものを特定し、特定した相関度のうちの最大のものを取得する。次に、取得した最大の相関度に対応付けられている第２対象文字列情報を前述のリストから特定し、特定した対象文字列を「項目名」に対応するの画像の文字列として読み取る。このように、文字列関連性特定情報及び先に読み取られた文字列に基づいて、読み取られる文字列を絞って読み取ってもよい。
【０１０８】
また、例えば、実施の形態で説明した手法で「定型記載情報」に対応する部分の画像から文字列を読み取った後に、読み取った文字列と図１３の文字列関連性特定情報とを比較して、読み取った文字列においてこの図１３の第１対象文字列情報と第２対象文字列情報との関係と異なっているものがあるか否かを判定し、ある場合には、エラーである可能性が高いで再度の読取処理を行ったり、エラーメッセージを出力したりしてもよい。
【０１０９】
（文字列関連性特定情報ＤＢについて（その２））
また、例えば、一般的に、図２の患者記載部分Ｄ１２の「項目名」の欄の情報に対して、「点数」の欄の情報が所定の数値又は数値範囲にて定められていること、また、「回数」の欄の情報の上限値が定められていることに着目して（図３の場合も同様である）、これらの関係を文字列関連性特定情報にて格納した上で、これらの情報を踏まえて画像から文字列を読み取るように構成してもよい。
【０１１０】
（促進部について）
また、上記実施の形態のサーバ装置２の制御部２３に促進部を設けてもよい。「促進部」とは、読取システムのユーザによる文字列画像の過去の入力に基づいて、読取システムのユーザに対して文字列画像の入力を促す促進手段である。この場合、例えば、図１０のＳＢ１で端末装置ＩＤを取得した場合、当該取得した端末装置ＩＤと端末装置ＩＤを取得した日時を記録部２２に記録して、端末装置ＩＤ毎（つまり、ユーザ毎）に診療明細書又は調剤明細書を記録するタイミングを把握した上で、把握結果に基づいて、診療明細書又は調剤明細書を記録すること（つまり、自己の診療明細書又は調剤明細書を撮像して送信すること）を促進してもよい。具体的には、例えば、所定期間間隔（例えば、２週間〜３週間等）で定期的に通院している者であれば、診療明細書又は調剤明細書を記録するタイミングとして、この所定期間間隔を把握して、所定期間を大幅に過ぎても（例えば、２カ月〜３カ月等）画像の送信がない場合、促進メッセージ（例えば、「最近、診療明細書等が記録されておりませんが、診療明細書等を撮像して記録して下さい」等）を端末装置１に送信して表示等させることにより、診療明細書又は調剤明細書の記録忘れ、あるいは、通院忘れを認識させることが可能となる。このように構成した場合、ユーザによる文字列画像の過去の入力に基づいて、ユーザに対して文字列画像の入力を促すことにより、例えば、文字列画像を定期的に確実に入力させることが可能となる。
【０１１１】
（特徴について）
また、上記実施の形態の特徴及び変形例の特徴を任意に組合わせてもよい。
【０１１２】
（付記）
付記１の読取システムは、読取システムであって、第１情報を特定する文字列である情報文字列が表示されている文字列画像を取得する画像取得手段と、前記読取システムにて読み取られ得る対象の文字列である対象文字列を格納する対象文字列格納手段と、前記画像取得手段が取得した前記文字列画像と、前記対象文字列格納手段が格納している前記対象文字列とに基づいて、前記画像取得手段が取得した前記文字列画像に表示されている前記情報文字列を読み取る読取手段と、を備える。
【０１１３】
付記２の読取システムは、付記１に記載の読取システムにおいて、前記読取システムのユーザによって入力された第２情報を受け付ける受付手段と、前記受付手段が受け付けた前記第２情報を格納する入力情報格納手段と、を備える。
【０１１４】
付記３の読取システムは、付記２に記載の読取システムにおいて、前記読取システムのユーザによる前記第２情報の入力を支援する支援手段、を備える。
【０１１５】
付記４の読取システムは、付記１から３の何れか一項に記載の読取システムにおいて、前記読取システムのユーザの認証を行う認証手段と、前記認証手段にて認証されたユーザによる前記読取システムへのログインを許可し、前記認証手段にて認証されなかったユーザによる前記読取システムへのログインを禁止するアクセス制御手段と、を備える。
【０１１６】
付記５の読取システムは、付記４に記載の読取システムにおいて、前記第１情報は、前記読取システムのユーザに関連する情報であり、前記画像取得手段は、前記読取システムのユーザによって利用されるユーザ端末であって当該ユーザ端末を識別する情報であるユーザ端末識別情報が格納されている当該ユーザ端末を介して入力された前記文字列画像を取得し、前記認証手段は、前記画像取得手段が取得した前記文字列画像と、前記ユーザ端末に格納されている前記ユーザ端末識別情報とに基づいて前記読取システムのユーザの認証を行う。
【０１１７】
付記６の読取システムは、付記１から５の何れか一項に記載の読取システムにおいて、少なくとも前記読取手段が読み取った前記情報文字列を所定の形式にて出力する出力手段、を備える。
【０１１８】
付記７の読取システムは、付記１から６の何れか一項に記載の読取システムにおいて、前記第１情報は、相互に関連する複数種類の情報を含んでおり、前記読取システムは、前記第１情報の相互に関連する複数種類の情報に対応する複数種類の文字列相互間の関連性を特定する文字列関連性特定情報を格納する文字列関連性特定情報格納手段、を備えており、前記読取手段は、前記文字列関連性特定情報格納手段が格納している文字列関連性特定情報にも基づいて前記画像取得手段が取得した前記文字列画像に表示されている前記情報文字列を読み取る。
【０１１９】
付記８の読取システムは、付記１から７の何れか一項に記載の読取システムにおいて、前記画像取得手段は、前記読取システムのユーザにて入力された前記文字列画像を取得し、前記読取システムは、前記読取システムのユーザによる前記文字列画像の過去の入力に基づいて、前記読取システムのユーザに対して前記文字列画像の入力を促す促進手段、を備える。
【０１２０】
付記９の読取システムは、付記１から８の何れか一項に記載の読取システムにおいて、前記第１情報は、医療に関連する第１医療情報である。
【０１２１】
付記１０の読取プログラムは、読取システムの読取プログラムであって、コンピュータを、第１情報を特定する文字列である情報文字列が表示されている文字列画像を取得する画像取得手段と、前記画像取得手段が取得した前記文字列画像と、前記読取システムにて読み取られ得る対象の文字列である対象文字列を格納する対象文字列格納手段が格納している前記対象文字列とに基づいて、前記画像取得手段が取得した前記文字列画像に表示されている前記情報文字列を読み取る読取手段と、として機能させる。
【０１２２】
（付記の効果）
付記１に記載の読取システムによれば、画像取得手段が取得した文字列画像と、対象文字列格納手段が格納している対象文字列とに基づいて、画像取得手段が取得した文字列画像に表示されている情報文字列を読み取ることにより、例えば、対象文字列格納手段が格納している対象文字列を基準に情報文字列を読み取ることができるので、文字列画像における情報文字列の読み取り精度を向上させることが可能となる。また、例えば、ユーザによる手入力を行うことなく情報文字列を読み取ることができるので、読取システムを用いて、情報（例えば、医療情報）を効率的に収集することが可能となる。
【０１２３】
付記２に記載の読取システムによれば、受付手段が受け付けた第２情報を格納することにより、例えば、ユーザが所望する任意の情報（一例としては、病名の情報等）を第２情報として格納することができるので、読取システムの利用性を向上させることが可能となる。
【０１２４】
付記３に記載の読取システムによれば、ユーザによる第２情報の入力を支援することにより、例えば、ユーザに対して第２情報を容易に入力させることができるので、読取システムの利用性を一層向上させることが可能となる。
【０１２５】
付記４に記載の読取システムによれば、認証されたユーザによるログインを許可し、認証されなかったユーザによるログインを禁止することにより、例えば、適正なユーザに対してのみログインさせることができるので、読取システムのセキュリティを向上させることが可能となる。
【０１２６】
付記５に記載の読取システムによれば、文字列画像とユーザ端末識別情報とに基づいてユーザの認証を行うことにより、例えば、ユーザの認証のために一般的に用いられるログイン名及びパスワード等を用いること無く認証を行うことができるので、ユーザに対してログイン名又はパスワード等の入力を求めることなく認証を行うことができ、読取システムのセキュリティを向上させた上で、読取システムの利用性を一層向上させることが可能となる。
【０１２７】
付記６に記載の読取システムによれば、情報文字列を所定の形式にて出力することにより、例えば、ユーザが所望する形式にて情報を出力することができるので、読取システムの利用性を一層向上させることが可能となる。特に、例えば、情報文字列を確定申告時に提出するべき医療費集計フォームに対応する形式にて出力した場合、ユーザは、医療費集計フォームを手入力にて新たに作成することが不要となり、確定申告を容易に行うことが可能となる。この場合、ユーザに対して自己の情報の入力を促進することができるので、読取システムを用いて、医療情報を効率的に収集することが可能となる。
【０１２８】
付記７に記載の読取システムによれば、文字列関連性特定情報にも基づいて文字列画像に表示されている情報文字列を読み取ることにより、例えば、情報文字列の読取精度を向上させることが可能となる。
【０１２９】
付記８に記載の読取システムによれば、ユーザによる文字列画像の過去の入力に基づいて、ユーザに対して文字列画像の入力を促すことにより、例えば、文字列画像を定期的に確実に入力させることが可能となる。
【０１３０】
付記９に記載の読取システムによれば、第１情報が医療に関連する情報であることにより、例えば、医療に関連する医療情報文字列の読み取り精度を向上させることが可能となる。
【０１３１】
付記１０に記載の読取プログラムによれば、画像取得手段が取得した文字列画像と、対象文字列格納手段が格納している対象文字列とに基づいて、画像取得手段が取得した文字列画像に表示されている情報文字列を読み取ることにより、例えば、対象文字列格納手段が格納している対象文字列を基準に情報文字列を読み取ることができるので、文字列画像における情報文字列の読み取り精度を向上させることが可能となる。また、例えば、ユーザによる手入力を行うことなく情報文字列を読み取ることができるので、読取システムを用いて、情報（例えば、医療情報）を効率的に収集することが可能となる。
【符号の説明】
【０１３２】
１  端末装置
２  サーバ装置
１１  通信部
１２  タッチパッド
１３  ディスプレイ
１４  撮像部
１５  記録部
１６  制御部
２１  通信部
２２  記録部
２３  制御部
１０１  端末装置
１０２  端末装置
１０３  端末装置
１０４  端末装置
１０５  端末装置
１０６  端末装置
２２１  マスタ情報ＤＢ
２２２  病名情報ＤＢ
２２３  ユーザ情報ＤＢ
２２４  読取情報ＤＢ
２２５  入力情報ＤＢ
２３１  画像取得部
２３２  読取部
２３３  受付部
２３４  支援部
２３５  認証部
２３６  アクセス制御部
２３７  出力部
９００  情報システム
Ｄ１１  種別記載部分
Ｄ１２  患者記載部分
Ｄ１３  内容記載部分
Ｄ１４  施設記載部分
Ｄ１５  金額記載部分
Ｄ２１  種別記載部分
Ｄ２２  患者記載部分
Ｄ２３  内容記載部分
Ｄ２４  施設記載部分
Ｄ２５  金額記載部分
【図１】
2019070955.tif 000003
【図２】
2019070955.tif 000004
【図３】
2019070955.tif 000005
【図４】
2019070955.tif 000006
【図５】
2019070955.tif 000007
【図６】
2019070955.tif 000008
【図７】
2019070955.tif 000009
【図８】
2019070955.tif 000010
【図９】
2019070955.tif 000011
【図１０】
2019070955.tif 000012
【図１１】
2019070955.tif 000013
【図１２】
2019070955.tif 000014
【図１３】
2019070955.tif 000015